(57)【要約】【課題】オーディオネットワークに伝送される音声パケットを容易に検出することが可能な音声検出装置、およびプログラムを提供すること。【解決手段】音声検出装置１０が備えるパケット検出モジュール３１は、オーディオネットワーク１００に接続したＬＡＮケーブル１１，１２（接続部）の入力信号から音声パケットを検出して音響信号抽出モジュール３２に出力する。音響信号抽出モジュール３２は、パケット検出モジュール３１により検出された音声パケットからデジタル音響信号を抽出する。音声検出装置１０は、デジタル音響信号が抽出されたことを使用者に報知する伝達手段として加算処理モジュール３３およびＤ／Ａ回路３４を備え、抽出されたデジタル音響信号が出力コネクタ１４から音声として出力する。【選択図】図２
2014013996.tif 000002
【特許請求の範囲】
【請求項１】
少なくとも一対の音響機器が接続され前記音響機器に入出力される音響信号が音声パケットに変換されて伝送されるオーディオネットワークに接続される接続部と、
前記接続部から入力される信号から前記音声パケットを検出するパケット検出手段と、
前記パケット検出手段により検出された前記音声パケットから前記音響信号がデジタル処理されたデジタル音響信号を抽出する音響信号抽出手段と、
前記音響信号抽出手段により前記デジタル音響信号が抽出されたことを使用者に報知する伝達手段と、
を備えることを特徴とする音声検出装置。
【請求項２】
前記音声パケットは、前記音響機器が備える複数のチャンネルの各々に対応した前記デジタル音響信号を含むものであり、
前記音響信号抽出手段は、前記音声パケットから複数の前記チャンネルの各々に対応した前記デジタル音響信号を抽出するように構成され、
前記伝達手段は、前記音響信号抽出部から入力される前記デジタル音響信号を加算合成するに当り、前記デジタル音響信号の数に応じて信号のゲインを減衰させ加算合成された音響信号の最大レベルをクリップレベル以下とする加算処理手段を備えることを特徴とする請求項１に記載の音声検出装置。
【請求項３】
前記伝達手段は、
前記加算処理手段から出力される前記デジタル音響信号をアナログ信号に変換して出力するＤ／Ａ回路と、
接続される出力機器に前記Ｄ／Ａ回路からのアナログ信号を音声出力する出力コネクタと、
を備えることを特徴とする請求項２に記載の音声検出装置。
【請求項４】
少なくとも一対の音響機器が接続され前記音響機器に入出力される音響信号が音声パケットに変換されて伝送されるオーディオネットワークに、
前記オーディオネットワークから入力される信号から前記音声パケットを検出するステップと、
検出された前記音声パケットから前記音響信号がデジタル処理されたデジタル音響信号を抽出するステップと、
前記デジタル音響信号が抽出されたことを使用者に報知するステップと、
を実行させるためのプログラム。
【発明の詳細な説明】
【技術分野】
【０００１】
本願に開示の技術は、各種の音響機器を接続するオーディオネットワークに伝送される音声パケットを検出する音声検出装置、および音声パケットを検出するためのプログラムに関するものである。
【背景技術】
【０００２】
従来、音響信号を処理する複数の処理ユニットが接続されるオーディオミキサにおいて、音響信号の伝送経路の異常（文献ではダブルルーティング）を検出する装置がある（例えば、特許文献１など）。
【０００３】
ところで、近年では、上記のオーディオミキサを含む各種の音響機器を、ネットワーク（ローカルエリアネットワーク等）を介して接続する技術の開発が進められている。このような複数の音響機器を接続したオーディオネットワークでは、デジタル処理された音響信号がパケット（以下、「音声パケット」という）に変換されネットワーク上に伝送される。オーディオネットワークの通信に用いられる伝送方式としては、例えば、オーディオ・ビデオ・ブリッジ（ＡＶＢ）方式（Institute of Electrical and Electronic Engineers(ＩＥＥＥ)８０２．１に準拠）がある。
【０００４】
この種のオーディオネットワークは、音響機器の複数のチャンネルの各々に対応したデジタル音響信号を一つの伝送路（例えば、ＬＡＮケーブル）上に集約して伝送でき、機器間を接続する配線の簡易化が図れることから様々な場所（コンサートホール、放送局、映画館等）の音響設備として用いられることが期待されている。
【先行技術文献】
【特許文献】
【０００５】
【特許文献１】特開平７−２０２５８７号公報
【発明の概要】
【発明が解決しようとする課題】
【０００６】
しかしながら、上記したようなオーディオネットワークを使用者が構築乃至セットアップする場合には、特許文献１に示すような単体で用いられる音響機器とは異なり音響機器間を接続するネットワーク上に音響信号を含む音声パケットが正常に伝送されているか否かを確認する必要が生じる。具体的には、例えば音響機器を複数のネットワーク周辺機器（スイッチングハブ等）を介して接続した場合には、所望の音声パケットが音響機器間のネットワーク上のどの接続点まで正常に伝送されているかを確認する必要がある。この場合、音声パケットに含まれるデータの内容（ビット列）を分析すれば音響信号が正しく伝送されているか否かを確認することができるが、このような分析には専門的な知識が要求される。
【０００７】
さらには、音響機器の複数のチャンネルの各々に対応した音響信号が一つの音声パケットに含まれるデータ伝送を想定すると、音声パケットから必要な音響信号を抽出および確認することは使用者にとって困難となる。
【０００８】
本願に開示される技術は、上記の課題に鑑み提案されたものである。オーディオネットワークに伝送される音声パケットを容易に確認することが可能な音声検出装置、および音声パケットを確認するためのプログラムを提供することを目的とする。
【課題を解決するための手段】
【０００９】
本願に開示される技術に係る音声検出装置は、少なくとも一対の音響機器が接続され音響機器に入出力される音響信号が音声パケットに変換されて伝送されるオーディオネットワークから音声パケットを検出する装置として、接続部、パケット検出手段、音響信号抽出手段、伝達手段を備える。接続部は、オーディオネットワークに接続される。パケット検出手段は、接続部から入力される信号から音声パケットを検出する。音響信号抽出手段は、パケット検出手段により検出された音声パケットから音響信号がデジタル処理されたデジタル音響信号を抽出する。伝達手段は、音響信号抽出手段によりデジタル音響信号が抽出されたことを使用者に報知する。
【００１０】
また、本願に開示される技術に係る音声検出装置は、請求項１に記載の音声検出装置において、音声パケットは、音響機器が備える複数のチャンネルの各々に対応したデジタル音響信号を含む。音響信号抽出手段は、音声パケットから複数のチャンネルの各々に対応したデジタル音響信号を抽出するように構成される。伝達手段は、音響信号抽出部から入力されるデジタル音響信号を加算合成するに当り、デジタル音響信号の数に応じて信号のゲインを減衰させ加算合成された音響信号の最大レベルをクリップレベル以下とする加算処理手段を備える。
【００１１】
また、本願に開示される技術に係る音声検出装置は、請求項２に記載の音声検出装置において、伝達手段は、加算処理手段から出力されるデジタル音響信号をアナログ信号に変換して出力するＤ／Ａ回路と、接続される出力機器に前記Ｄ／Ａ回路からのアナログ信号を音声出力する出力コネクタと、を備える。
【００１２】
また、本願に開示される技術に係るプログラムは、少なくとも一対の音響機器が接続され音響機器に入出力される音響信号が音声パケットに変換されて伝送されるオーディオネットワークに、オーディオネットワークから入力される信号から音声パケットを検出するステップと、検出された音声パケットから音響信号がデジタル処理されたデジタル音響信号を抽出するステップと、デジタル音響信号が抽出されたことを使用者に報知するステップと、を実行させる。
【発明の効果】
【００１３】
本願に開示される技術によれば、オーディオネットワークに伝送される音声パケットを容易に検出することが可能な音声検出装置、および音声パケットを検出するためのプログラムを提供することができる。
【図面の簡単な説明】
【００１４】
【図１】音声検出装置の概略構成図である。
【図２】音声検出装置のブロック図である。
【図３】加算処理モジュールのブロック図である。
【図４】オーディオネットワークの構成図である。
【発明を実施するための形態】
【００１５】
図１は、本願の実施形態に係る音声検出装置１０を示す概略構成図である。音声検出装置１０は、後述するオーディオネットワーク１００（図４参照）にて伝送される音声パケットを検出し、検出した音声パケットから音響信号を抽出するための装置である。図１に示すように、音声検出装置１０は、一対のＬＡＮケーブル１１，１２と、ＬＡＮケーブル１１，１２が接続された本体部１３と、本体部１３に接続された出力コネクタ１４とを備える。
【００１６】
ＬＡＮケーブル１１，１２は、本体部１３をオーディオネットワークに接続する接続部であり、一方のＬＡＮケーブル１１の先端部１１ａが取り付け側（雄側）として構成され、他方のＬＡＮケーブル１２の先端部１２ａが受け側（雌側）として構成されている。本体部１３は、ＬＡＮケーブル１１，１２から入力される信号からオーディオネットワークに伝送される音声パケットを検出し、検出した音声パケットから音響信号を抽出して出力コネクタ１４に送出する。出力コネクタ１４はヘッドフォン２１等の出力機器が接続可能なオーディオ端子である。
【００１７】
図２に示すように、本体部１３は、パケット検出モジュール３１と、音響信号抽出モジュール３２と、加算処理モジュール（オートミキサ）３３と、Ｄ／Ａ（デジタル・アナログ）回路３４とを備える。これら各モジュール３１，３２，３３による処理は、図示しない処理回路、例えばデジタル信号処理装置（Digital Signal Processor：ＤＳＰ）により対応するプログラムが実行されることで実現される。
【００１８】
パケット検出モジュール３１は、オーディオネットワークの伝送方式に基づいてＬＡＮケーブル１１，１２から入力される信号から音声パケットを検出し音響信号抽出モジュール３２に出力する処理を実行する。オーディオネットワークの伝送方式は、例えばオーディオ・ビデオ・ブリッジ（ＡＶＢ）方式である。パケット検出モジュール３１は、例えばオーディオネットワークに伝送される信号（パケット）を複製（ミラーリング）しＡＶＢ方式のデータ形式に基づいてパケットを判定して所望の音声パケットを検出（キャプチャ）する。
【００１９】
音響信号抽出モジュール３２は、パケット検出モジュール３１から入力される音声パケットに対し、音声パケットに含まれるデジタル処理された音響信号（デジタル音響信号）を抽出する処理を実行する。音声パケットには、音響機器（例えば、デジタルオーディオミキサ）の複数のチャンネルの各々に対応付けられたデジタル音響信号が含まれており、音響信号抽出モジュール３２はチャンネル毎の音響信号を抽出する。また、音響信号抽出モジュール３２には、複数の出力ポートが設定されており、各出力ポートにチャンネルが割り当てられ（パッチされ）ている。音響信号抽出モジュール３２の出力ポートは、加算処理モジュール３３に設定された入力ポートにそれぞれ対応付けられている。また、音響信号抽出モジュール３２は、オーディオネットワークにおける同期信号（例えばワードクロック）を検出し、これに同期して加算処理モジュール３３乃至Ｄ／Ａ回路３４を動作させる。
【００２０】
加算処理モジュール３３は、入力される信号の最大レベルを制限（クリップ）せずに加算合成（サミング）する処理を実行する。図３に示すように、加算処理モジュール３３は、チャンネル毎にゲートモジュール４１と、増幅モジュール４３とを設定（実行）する。また、加算処理モジュール３３は、ゲイン制御モジュール４５を実行し、このゲイン制御モジュール４５がゲートモジュール４１からの出力信号に基づいて増幅モジュール４３を制御する処理を実行する。
【００２１】
音響信号抽出モジュール３２からチャンネル（出力ポート）毎に出力されるデジタル音響信号は各ゲートモジュール４１に入力される。ゲートモジュール４１は、あらかじめ設定された閾値を超えた信号レベルのデジタル音響信号が入力されるとその旨の信号をゲイン制御モジュール４５に出力するとともに、デジタル音響信号を出力する処理を実行する。増幅モジュール４３は、ゲイン制御モジュール４５からの制御に基づいて増幅率を変更可能に構成されている。各増幅モジュール４３の出力信号は、加算器４６にて加算合成され図２に示すＤ／Ａ回路３４に出力される。
【００２２】
因みに、図３に一点鎖線で示すように、加算処理モジュール３３は、ゲートモジュール４１の後段に、ローパスフィルタ等の各種フィルタやコンプレッサ等の信号処理を行う信号処理モジュール４２を設けた構成としてもよい。この信号処理モジュール４２は、例えば、入力される音響信号に対し、信号特性の調整やアタック感の調整等、各種信号処理を施すモジュールである。ここでいうアタックとは、平均的な音声の波高レベルよりも極端に高い部分又は振幅上昇が急激な信号の区間である。信号処理モジュール４２は、例えば、入力される音響信号に対しローパスフィルタによりノイズ処理を実行してもよい。また、信号処理モジュール４２は、例えば、音響信号のアタックを抑圧又は強調する処理や音質を変更する処理を実行してもよい。
【００２３】
ゲイン制御モジュール４５は、ゲートモジュール４１の出力信号から音響信号が入力されているチャンネル数を検出し、そのチャンネル数に基づいて増幅モジュール４３を制御する。ゲイン制御モジュール４５は、例えば１つチャンネルに信号が入力された場合には、増幅モジュール４３はあらかじめ設定されているゲインでデジタル音響信号を信号増幅してＤ／Ａ回路３４に出力する制御を実行する。また、ゲイン制御モジュール４５は、例えば２つのチャンネルに信号が入力される場合には、入力されたチャンネルに対応する増幅モジュール４３に対しゲインを３ｄＢ（デシベル）だけ減衰させる制御を実行する。つまり、ゲイン制御モジュール４５は、入力されるチャンネル数に応じて増幅モジュール４３のゲインを減衰してデジタル音響信号の信号レベルを調整する。これにより、加算器４６では、加算処理により合成された音響信号の信号レベルが過大となってクリップされることなくサミング処理される。
【００２４】
図２に示すように、加算処理モジュール３３は、加算器４６にて合成したデジタル音響信号をＤ／Ａ回路３４にステレオバスを介して出力する。Ｄ／Ａ回路３４は、入力されたデジタル音響信号をアナログ信号に変換して出力コネクタ１４に出力する。なお、Ｄ／Ａ回路３４から出力されるアナログ音響信号は出力コネクタ１４のＬ／Ｒ端子に分配して出力される。このように構成された音声検出装置１０では、図１に示すＬＡＮケーブル１１，１２をオーディオネットワークに接続することで、使用者が出力コネクタ１４に接続したヘッドフォン２１からオーディオネットワークに伝送される音響信号を検聴できる。
【００２５】
次に、上記した音声検出装置１０を用いるオーディオネットワークの一例について図４を用いて説明する。図４に示すオーディオネットワーク１００は、例えばコンサートホールの音響設備に用いられるものであり、コンサートホール内に設けられた各種の音響機器（ヘッドアンプ１０１ａ〜１０１ｃ、オーディオミキサ１０２、スピーカー１０３に接続されるアンプ１０４）を接続するローカルエリアネットワーク（以下、「ＬＡＮ」という）として構築されている。オーディオネットワーク１００の伝送方式はＡＶＢ方式である。
【００２６】
オーディオネットワーク１００は、ステージの入力機器（マイクや楽器等）が接続されたネットワークＮ１と、オペレータ室（Front Of House）に設けられたオーディオミキサ１０２が接続されたネットワークＮ２と、ホール内のスピーカー１０３が接続されたネットワークＮ３とが接続されている。各ネットワークＮ１〜Ｎ３に設けられたネットワーク周辺機器（例えば、スイッチングハブ）１１１〜１１３は、スイッチングハブ１１０を介して相互に接続されている。なお、各音響機器およびネットワーク周辺機器にはＡＶＢ方式に準拠したＬＡＮポート、又はＬＡＮポートが設けられたインタフェースカード等が接続されている。
【００２７】
ネットワークＮ１のスイッチングハブ１１１には、複数（図中において３個）のヘッドアンプ１０１ａ〜１０１ｃが接続されている。ヘッドアンプ１０１ａ〜１０１ｃには、各入力ポート（チャンネル）に入力機器からの音響信号が入力される。ヘッドアンプ１０１ａ〜１０１ｃは、入力された音響信号の音質・音量等を調整し各チャンネルに対応したデジタル音響信号を含む音声パケット１３０に変換して出力する。音声パケット１３０は、スイッチングハブ１１１，１１０，１１２を介してネットワークＮ２のオーディオミキサ１０２まで伝送される。オーディオミキサ１０２は、ヘッドアンプ１０１ａ〜１０１ｃから伝送された音声パケット１３０に対し各チャンネルに対応するデジタル音響信号を抽出し、抽出したデジタル音響信号に対してミキシング、イコライジング、フィルタリング等の信号処理を施す。オーディオミキサ１０２により信号処理されたデジタル音響信号は、再度音声パケット１３０に変換され、スイッチングハブ１１２，１１０を介してネットワークＮ３のスイッチングハブ１１３に伝送される。
【００２８】
スイッチングハブ１１３には、アンプ１０４を介してスピーカー１０３が接続されている。オーディオミキサ１０２からスイッチングハブ１１３まで伝送された音声パケット１３０は、アンプ１０４により音響信号に変換・増幅されスピーカー１０３から出力される。
【００２９】
次に、このようなオーディオネットワーク１００をセットアップする場合を想定して音声検出装置１０の使用方法の一例について説明する。例えば、オーディオネットワーク１００のセットアップの際にヘッドアンプ１０１ａの出力信号がオーディオミキサ１０２で検出できない場合を想定する。
【００３０】
まず、使用者は、スイッチングハブ１１２，１１０を接続するＬＡＮケーブル（接続点１１５ａ）に音声検出装置１０を接続しヘッドアンプ１０１ａから接続点１１５ａまで音声パケット１３０が到達しているか否かを確認する。この場合、例えばヘッドアンプ１０１ａに接続される入出力機器（マイク等）から音響信号を入力して音声検出装置１０側で検聴を行う。この確認作業により音響信号（音声）が確認された場合には、ネットワークＮ２のスイッチングハブ１１２の故障又はスイッチングハブ１１２とオーディオミキサ１０２とを接続するＬＡＮケーブルの断線等の可能性が考えられる。
【００３１】
また、音響信号が確認できない場合には、スイッチングハブ１１０とネットワークＮ１のスイッチングハブ１１１とを接続するＬＡＮケーブル（接続点１１５ｂ）にて検聴を行う。同様に、音響信号が確認できない場合には、ヘッドアンプ１０１ａとスイッチングハブ１１１とを接続するＬＡＮケーブル（接続点１１５ｃ）において検聴を行う。このような検聴作業を繰り返し行うことにより、オーディオネットワーク１００の障害部分（機器の故障、接続不良、設定の間違い）を切り分けて原因が特定でき、その結果に応じて使用者が機器の交換や設定の見直しを行うことができる。
【００３２】
ここで、上記したような音響信号をパケット交換にて伝送するオーディオネットワーク１００では、機器間の接続の簡易化が図れるため使用者が容易に接続できる利点がある一方で、上記したような機器間の通信に異常がある場合には確認を行うのに音声パケット１３０のデータ形式等に関する専門的な知識が要求される。これに対し、本実施形態の音声検出装置１０は、オーディオネットワーク１００の任意の接続点１１５ａ〜１１５ｃに接続するだけで使用者がその接続点に音声パケット１３０（音響信号）が到達しているか否かを容易に確認できる。従って、使用者は、音声検出装置１０をネットワーク１００に接続し音声を確認するだけで音声パケット１３０がどの接続点まで到達しているかが確認でき、オーディオネットワーク１００のセットアップや接続異常に対する対応をより迅速に行うことができる。
【００３３】
以上、本願の実施形態に係る音声検出装置１０のパケット検出モジュール３１は、オーディオネットワーク１００に接続したＬＡＮケーブル１１，１２（接続部）の入力信号から音声パケット１３０を検出して音響信号抽出モジュール３２に出力する。音響信号抽出モジュール３２は、パケット検出モジュール３１により検出された音声パケット１３０から音響信号がデジタル処理されたデジタル音響信号を抽出する。音声検出装置１０は、デジタル音響信号が抽出されたことを使用者に報知する伝達手段として加算処理モジュール３３およびＤ／Ａ回路３４を有しており、抽出されたデジタル音響信号が出力コネクタ１４から音声として出力される。このような構成では、音声検出装置１０をオーディオネットワーク１００の任意の接続点１１５ａ〜１１５ｃに接続するだけで使用者がその接続点に音声パケット１３０が到達しているか否かを容易に確認できる。これにより、オーディオネットワーク１００のセットアップや接続異常に対する対応をより迅速に行うことができる。
【００３４】
また、音声検出装置１０は、ネットワーク１００に接続される接続部として、取り付け側の先端部１１ａが設けられたＬＡＮケーブル１１と、受け側の先端部１２ａが設けられたＬＡＮケーブル１２とを備えている。このような構成では、既存のネットワーク１００の様々な接続点１１５ａ〜１１５ｃに容易に接続して音声パケット１３０を確認することができる。
【００３５】
また、オーディオネットワーク１００に伝送される音声パケット１３０には、音響機器（ヘッドアンプ１０１ａ〜１０１ｃ、オーディオミキサ１０２、スピーカー１０３）の複数のチャンネルの各々に対応したデジタル音響信号が含まれている。これに対し、音響信号抽出モジュール３２は、音声パケット１３０から各チャンネルに対応したデジタル音響信号を抽出するように構成されている。そして、加算処理モジュール３３は、音響信号抽出モジュール３２から入力される各チャンネルに対応して設けられる増幅モジュール４３のゲインをデジタル音響信号が入力されるチャンネル数に応じて減衰させることにより、加算合成（サミング）された音響信号の最大レベルが制限（クリップ）されることはない。このような構成では、オーディオネットワーク１００に伝送されるすべてのチャンネルに対応した音響信号がクリップされずにサミングされるため、音響機器の各チャンネルのいずれかに音響信号が入力されていればその音響信号を確認することができる。例えば、ミキサ１０２において出力ポートに対するチャネルの割り当ての設定を使用者が間違えた場合であっても、音声検出装置１０側ですべてのチャンネルをモニタできるため音響信号を確認することができる。これにより、ネットワーク１００の伝送路に問題があるのか、端末（ミキサ１０２等）側の設定に問題があるのかを使用者が判断することが可能となる。
【００３６】
また、音声検出装置１０には、加算処理モジュール３３の出力信号を音声信号（アナログ信号）に変換して出力するＤ／Ａ回路３４と、Ｄ／Ａ回路３４からのアナログ信号をヘッドフォン２１等の出力機器に出力する出力コネクタ１４とを備えている。このような構成では、使用者がヘッドフォン２１を出力コネクタ１４に接続するだけで抽出された音響信号を検聴でき、ネットワーク１００に伝送される音響信号を検聴しながら接続の異常を確認することができる。
【００３７】
また、ＬＡＮケーブル１１，１２は接続部の一例、パケット検出モジュール３１はパケット検出手段の一例、音響信号抽出モジュール３２は音響信号抽出手段の一例、加算処理モジュール３３は加算処理手段の一例、加算処理モジュール３３、Ｄ／Ａ回路３４及び出力コネクタ１４は伝達手段の一例として挙げられる。
【００３８】
尚、本発明は上記の実施形態に限定されるものではなく、本発明の趣旨を逸脱しない範囲内での種々の改良、変更が可能であることは言うまでもない。
【００３９】
例えば、本願に係る音声検出装置１０は、伝達手段として抽出したデジタル音響信号を音声出力する構成としたが、これに限定されない。例えば抽出したデジタル音響信号の信号レベルを表示する構成としてもよい。また、例えば、検出した音声パケット１３０（パケット）の音響信号以外の他の情報（送信元や送り先のＭＡＣアドレス等）を表示する構成としてもよい。この場合、加算処理モジュール３３およびＤ／Ａ回路３４を省略した構成とすることができる。
【００４０】
また、パケット検出モジュール３１、音響信号抽出モジュール３２および加算処理モジュール３３を、処理回路（ＤＳＰ等）により対応するプログラムが実行されることで実現する構成としたが、各モジュール３１，３２，３３を演算回路等で構成したハードウェアで実装してもよい。
【００４１】
また、音声検出装置１０は、音声パケット１３０から抽出するチャンネル（デジタル音響信号）を選択可能に構成してもよい。このような構成では、例えば、音響機器の特定のチャンネル（入力ポート）に接続された入力機器（マイク等）の入力信号を、音声検出装置１０側でチャンネルを選択して確認できる。
【００４２】
また、音声検出装置１０は、抽出する音響信号の周波数を選択可能に構成してもよい。このような構成では、例えば、任意の音響機器から所定の周波数（単音の音声、sine波等）の音響信号を出力させておき、音声検出装置１０側でその周波数を選択することでその音響機器との接続が確認できる。
【００４３】
また、音声検出装置１０（パケット検出モジュール３１）は、ＡＶＢ方式に対応した構成としたが、これに限定されず、他の伝送方式（例えば、CobraNet（登録商標）、EtherSound（登録商標）、Dante（登録商標））に対応した構成としてもよい。また、複数の伝送方式に対応した構成としてもよい。
【００４４】
また、オーディオネットワーク１００に用いるＬＡＮは、Ethernet（登録商標）やIEEE１３９４等、デジタル音響信号が音声パケットとして伝送可能な各種の通信規格を用いてもよい。
【００４５】
また、音声検出装置１０は、例えば、抽出されたデジタル音響信号をそのまま合成して出力する構成としてもよい。つまり、デジタル音響信号が伝送されているか否かを確認できれば音質等に関係なく出力してもよい。また、音声検出装置１０は、抽出されたデジタル音響信号に対し伝送方式の規格やサンプリング周波数（サンプル数）等に基づいて信号処理を施し送信元で入力された音質レベルで出力する構成としてもよい。
【００４６】
また、上記実施形態におけるオーディオネットワーク１００の構成は一例であり、他の接続形態（異なるトポロジー、ＷＡＮ、無線通信等を含むネットワーク）に適宜変更してもよい。また、ネットワーク１００に伝送される音声パケット１３０は、一つのパケットに少なくとも一つのチャンネルのデジタル音響信号を含むデータ形式でもよい。要は、音響信号をパケット交換方式で伝送するネットワークであれば本願に係る音声検出装置１０を用いてもよい。
【００４７】
また、接続部としてのＬＡＮケーブル１１，１２の構成は一例であり、これに限定されない。例えば、接続部として一本のＬＡＮケーブルを備えた構成とし、そのＬＡＮケーブルをTAP（タップ）等を用いて接続する構成としてもよい。
【００４８】
また、例えば、音声検出装置１０をＬＡＮケーブルに一体的に設けて、オーディオネットワーク１００の伝送路（ＬＡＮケーブル）の一部として用いる構成としてもよい。このような構成では、音声パケット１３０の確認作業においてＬＡＮケーブルを抜き差しする必要がない。従って、例えばコンサート中に音声伝送を中断させることなく音響機器の接続を確認することができる。なお、音声検出装置１０をネットワーク周辺機器（スイッチングハブ１１０〜１１３）に一体的に設けた構成としても、上記した効果と同様の効果を得ることができる。
【００４９】
また、上記実施形態では本願の発明を音声検出装置１０に具体化したが、これに限定されず、音声パケット１３０を検出するプログラムとして構成してもよい。例えば、スイッチングハブ１１０〜１１３のファームウェアとして実装しＡＶＢ方式で伝送される音響信号を抽出および抽出結果を伝達するプログラムとして構成してもよい。
【００５０】
また、出力コネクタ１４の構成は一例であり、出力形式・規格等を適宜変更（ＵＳＢ接続等）してもよい。
【符号の説明】
【００５１】
１０      音声検出装置
１１，１２      ＬＡＮケーブル（接続部）
１３      本体部（音声検出装置）
１４      出力コネクタ（音声検出装置）
３１      パケット検出モジュール（パケット検出手段）
３２      音響信号抽出モジュール（音響信号抽出手段）
３３      加算処理モジュール（加算処理手段、伝達手段）
３４      Ｄ／Ａ回路（伝達手段）
１００      オーディオネットワーク
１０１ａ〜１０１ｃ      ヘッドアンプ（音響機器）
１０２      オーディオミキサ（音響機器）
１０４      アンプ（音響機器）
１０３      音声パケット
【図１】
2014013996.tif 000003
【図２】
2014013996.tif 000004
【図３】
2014013996.tif 000005
【図４】
2014013996.tif 000006